(57)【要約】【課題】屋根上での太陽電池モジュールの配設作業や保守・点検作業を簡便に行うことが可能な優れた瓦屋根用の太陽電池アレイを提供すること。【解決手段】軒側枠１３と棟側枠１２とを設けた太陽電池モジュール本体ＭＵを屋根上に固定されるケーシングＭＤ内に保持した太陽電池モジュールＭを太陽電池アレイに用いる。前記太陽電池モジュールＭは、前記軒側枠１３に設けた固定部２７と前記ケーシングＭＤの軒側端部に設けた固定部とを連結することで前記太陽電池モジュール本体ＭＵと前記ケーシングＭＤとを固定する構造をなすとともに、他の太陽電池モジュール又は瓦材の棟側端部に載置される当接部２６を前記軒側枠１３に、他の太陽電池モジュール又は瓦材の軒側端部が載置される被当接部２６ａを前記棟側枠１２にそれぞれ備える。【選択図】　図６
2004027733.tif 000002
【特許請求の範囲】
【請求項１】
軒側枠と棟側枠とを設けてなる太陽電池モジュール本体を屋根上に固定されるケーシング内に設置し、前記軒側枠に設けた固定部と前記ケーシングの軒側端部に設けた固定部とを連結することで前記太陽電池モジュール本体を前記ケーシングに固定する構造をなすとともに、他の太陽電池モジュール又は瓦材の棟側端部に載置される当接部を前記軒側枠に、他の太陽電池モジュール又は瓦材の軒側端部が載置される被当接部を前記棟側枠にそれぞれ備えたことを特徴とする太陽電池モジュール。
【請求項２】
前記請求項１記載の太陽電池モジュールの複数を瓦重ねしてなる太陽電池アレイであって、一方の太陽電池モジュールの前記被当接部に他方の太陽電池モジュールの前記当接部を瓦重ねした状態で、前記軒側枠に設けた固定部と前記ケーシングの軒側端部に設けた固定部の連結状態を解除し、前記一方の太陽電池モジュールの太陽電池モジュール本体を持ち上げたときに、前記他方の太陽電池モジュールの太陽電池モジュール本体を取り外すことができることを特徴とする太陽電池アレイ。
【発明の詳細な説明】
【０００１】
【発明の属する技術分野】
本発明は、太陽エネルギーを利用して発電を行う太陽電池モジュールおよびそれを用いた瓦屋根用の太陽電池アレイに関する。
【０００２】
【従来の技術】
従来、例えば図８に示すような家庭の電気負荷を低減するために、家屋の屋根上に太陽エネルギーを電気に変換する瓦一体型の太陽電池モジュール３０を瓦重ねして配設して成る太陽光発電屋根Ｊが知られている。
【０００３】
このような瓦型の太陽光発電屋根の場合、太陽電池モジュール３０は図９に示すような、瓦材と略同一形状の瓦材３１の上部を太陽電池が埋め込めるように窪ませたものと、ガラスや樹脂などの透光体と太陽電池セルを張り合せた太陽電池３２を樹脂や接着剤により一体化させたものが用いられている。前記太陽電池モジュール３０は他の太陽電池を有しない瓦材１０と形状的には何ら変わりがないので、通常の瓦材の施工と同様に、野地板３３上に配された桟木９に瓦材１０を屋根の軒先から順次瓦材を瓦重ねしていくことができる。なお、太陽電池モジュール３０から出力される出力配線３４はこの瓦の重なりにより生じる瓦材と野地板３３の間の隙間を通すものが一般的である。
【０００４】
また、図１０に示すように、屋根の棟に平行な方向で隣り合う瓦材どうしは、上部突出部３５と下部突出部３６とによって噛み合わされており、容易にずれたりしないようになっている。
【０００５】
【発明が解決しようとする課題】
しかし、瓦状の太陽電池アレイは、屋根面に太陽電池モジュールを積み重ねながら、配線する必要がある。そのため、配線作業の完了時に、太陽電池モジュールの屋根面への固定も終えた状態となる。したがって、結線の間違いがあり修理が必要な場合や太陽電池モジュールの保守・点検などのためには、多くの太陽電池モジュールを一度、取り外し、修理や保守・点検作業終了後に再び太陽電池モジュールを積み重ねなければならないという問題があった。
【０００６】
そこで、本発明では上述した問題を解消し、屋根上での太陽電池モジュールの修理や保守・点検作業を簡便に行うことができる瓦屋根用の太陽電池モジュールおよび太陽電池アレイを提供することを目的とする。
【０００７】
【課題を解決するための手段】
上記目的を達成するために、請求項１の太陽電池モジュールは、軒側枠と棟側枠とを設けてなる太陽電池モジュール本体を屋根上に固定されるケーシング内に設置し、前記軒側枠に設けた固定部と前記ケーシングの軒側端部に設けた固定部とを連結することで前記太陽電池モジュール本体を前記ケーシングに固定する構造をなすとともに、他の太陽電池モジュール又は瓦材の棟側端部に載置される当接部を前記軒側枠に、他の太陽電池モジュール又は瓦材の軒側端部が載置される被当接部を前記棟側枠にそれぞれ備えたことを特徴とする。
【０００８】
また、請求項２の太陽電池アレイは、前記請求項１記載の太陽電池モジュールの複数を瓦重ねしてなり、一方の太陽電池モジュールの前記被当接部に他方の太陽電池モジュールの前記当接部を瓦重ねした状態で、前記軒側枠に設けた固定部と前記ケーシングの軒側端部に設けた固定部の連結状態を解除し、前記一方の太陽電池モジュールの太陽電池モジュール本体を持ち上げたときに、前記他方の太陽電池モジュールの太陽電池モジュール本体を取り外すことができることを特徴とする。
【０００９】
かかる構成によれば、屋根上での太陽電池モジュールの修理や保守・点検作業を簡便に行うことができる。
【００１０】
【発明の実施の形態】
以下に、本発明に係る太陽電池モジュールと太陽電池アレイの実施形態について、模式的に図示した図面に基づいて詳細に説明する。
【００１１】
図１に太陽電池アレイを構成する太陽電池モジュールＭの斜視図を、図２に側面図を、図３に分解側面図を示す。また、図４に複数の太陽電池モジュールＭを瓦状に重ねてなる太陽電池アレイの分解側面図を示す。
【００１２】
図１に示すように、太陽電池モジュールＭは、ガラスや樹脂などの透光体と太陽電池セルを張り合せた太陽電池１１を備えた太陽電池モジュール本体ＭＵと、この太陽電池モジュール本体ＭＵを保持するケーシングＭＤとからなる。
【００１３】
前記太陽電池モジュール本体ＭＵは、棟側に配される棟側枠１２と、軒側に配される軒側枠１３とを有し、さらに、本実施形態では、左右両側に配される側面枠１４を有する。
【００１４】
ここで、太陽電池１１は受光面にガラスや樹脂等の透光性基板が設けられ、この透光性基板に多数の太陽電池素子が収容された樹脂等からなる封止材が貼着されたものが好適である。太陽電池素子としては例えばシリコン系半導体やガリウムヒ素等から成る化合物半導体などの単結晶や非単結晶の材料が用いられ、互いに直列及び／または並列に電気的に接続されて成る。また、その他の部分はアルミニウム等の軽量で強度的に優れた金属材料等から構成されるが、耐候性に優れた樹脂材でもよい。
【００１５】
図２に前記側面枠１４を除いた状態の太陽電池モジュールＭの側面図を示す。
同図に示すように、上記太陽電池モジュールＭは、太陽電池モジュールを瓦重ね可能とするため、他の太陽電池モジュール又は瓦材の棟側端部に載置される当接部２６と、他の太陽電池モジュール又は瓦材の軒側端部が載置される被当接部２６ａを有する。本実施形態において当接部２６は軒側枠１３と一体で下側に突出形成されており、太陽電池モジュール本体ＭＵに在る。被当接部２６ａは棟側枠１２に形成されており、太陽電池モジュール本体ＭＵに在る。また、前記ケーシングＭＤには、固定レール１６が設けられ、この固定レール１６に、係止部材として、軒側固定金具１７と、棟側固定金具１８が取り付けられている。
【００１６】
前記棟側枠１２は、多角形筒状体をなし且つ側面に開口する本体部２６ｂを有する。この本体部２６ｂの内部の孔２６ｄに配線を通すことができる。本体部２６ｂは弾性変形可能である。さらに、この本体部２６ｂからモジュール把持片２６ｃが延設されている。
【００１７】
図３の分解側面図から明らかなように、太陽電池モジュール本体ＭＵにはケーシングＭＤとの固定部２７が設けられるとともに、対応の固定部２８がケーシングＭＤの軒側端部に設けられ、結合ねじ１９により両固定部を連結する構造となっている。
【００１８】
太陽電池モジュールＭは、図４に示すように建物の屋根Ｋ上に、セラミックや金属製の瓦材１０と混在して設置することが可能である。太陽電池モジュールＭを屋根Ｋ全体に設置することもできる。なお、図中の瓦材１０は外観が平坦な平板瓦を使用しているが、波型瓦としてもよい。また、棟側と軒側の瓦材１０を交互に互い違いになるように配しても、或いは、瓦材１０が棟から軒まで一直線に並ぶように配してもよい。また、太陽電池モジュールＭの長さは瓦材１０の外形寸法の略整数倍に合わせている。
【００１９】
次に、太陽電池モジュールＭを組み付けて太陽電池アレイとする方法について説明する。図５（ａ）に示すように、瓦材１０は野地板３３上に配された桟木９に窪みを引掛ける形で軒側にずり落ちないように設置される。この瓦材１０の棟側の野地板３３上に軒先側受け金具２０をねじや釘で固定する。そして、軒先側受け金具２０の係合部２１と太陽電池モジュールＭの軒側固定金具１７の係合部２２を嵌合し、太陽電池モジュールＭの棟側固定金具１８を釘２４やねじ釘などで野地板３３上に打ち付けて固定する。
【００２０】
図５（ｂ）に、太陽電池モジュール同士の連結態様を示す。同図に示すように、太陽電池モジュールＭ１の棟側枠１２に設けた折り返し付き延長片２３と、太陽電池モジュールＭ２の軒側固定金具１７の係合部２２とを嵌合し、太陽電池モジュールＭ２の棟側固定金具１８を釘２４などで野地板３３上に固定する。これにより、図６（ａ）に示すように、太陽電池モジュールＭ１と太陽電池モジュールＭ２とが瓦重ね状に固定される。
【００２１】
固定された太陽電池モジュールＭ２は、太陽電池モジュールＭ１の棟側枠１２の上部を覆うように配置されており、太陽電池モジュールＭ２の軒側枠１３に備える当接部２６と、太陽電池モジュールＭ１の棟側枠１２における被当接部２６ａに備える上方突出部２５により雨かえし構造を形成し、雨や風の侵入を防止している。
【００２２】
次に、一の太陽電池モジュールＭ２について太陽電池モジュール本体ＭＵを取り外す方法について説明する。図６（ｂ）に示すように、太陽電池モジュールＭ２、およびＭ３における、軒側枠１３と軒側固定金具１７を締結している結合ねじ１９を取り外す。このとき、図６（ｃ）に示すように、太陽電池モジュールＭ３の太陽電池モジュール本体ＭＵをわずかに持ち上げることができる。これは、棟側枠１２の本体部２６ｂが弾性変形可能なことによる。そして、太陽電池モジュールＭ２の軒側枠１３を少し持ち上げて引き出すことにより太陽電池モジュール本体ＭＵを取り外すことができる。
【００２３】
なお、太陽電池モジュールＭ３の太陽電池モジュール本体ＭＵを持ち上げて、少し浮かせるようにしないかぎり太陽電池モジュールＭ３の太陽電池モジュール本体ＭＵを取り外すことができない。持ち上げないときには、太陽電池モジュール本体ＭＵの棟側枠１２に設けた上方突出部２５が太陽電池モジュールＭ３の当接部２６に引っかかり、抜け止めとなる。したがって、太陽電池モジュール本体ＭＵが勝手に滑り落ちていかないようになっている。
【００２４】
次に、太陽電池モジュールＭの横方向の連結方式について説明する。
【００２５】
太陽電池モジュールＭの側面枠１４の裏面には荷重受プレート１５が取り付けられ、太陽電池モジュール同士、および太陽電池モジュールと瓦材の横方向（棟に対し水平方向）の結合に対応する。
【００２６】
具体的には図７（ａ）に示すように、側面枠１４の下部に設けられたレール部３７に荷重受プレート１５が挿し込まれており、該荷重受プレート１５が太陽電池モジュールＭと一体となっている。太陽電池モジュールＭ同士を横並びに配した際、この荷重受プレート１５は隣合う太陽電池モジュールＭ４の下部に入り込んだ形となり、太陽電池モジュールＭ４の側面枠１４を支持するとともに、側面枠１４と側面枠１４の間に生じた隙間から侵入する雨水などを軒側に流す役割を果たしている。
【００２７】
また同様に、図７（ｃ）に示すように側面枠１４の隣に瓦材１０が配される場合にも、側面枠１４と瓦材１０の隙間から侵入する雨水などを軒側に流す樋の役割を果たす。
【００２８】
また、図７（ｂ）に示すように太陽電池モジュールＭの側面枠１４側に瓦材１０が配される場合、側面枠１４は瓦材の下部突出部３６の上方に位置する。そして、側面枠１４と瓦材１０の隙間から侵入する雨水などは、瓦材１０の下部突出部３６が樋の役割をする。
【００２９】
上記荷重受プレート１５は、左右どちらの側面枠１４にも装着可能であり、太陽電池モジュールＭの左右どちらに瓦材が配されても対応できる設置の自由度が高いものである。さらに、荷重受プレートの形状を様々な瓦材に合った形とすることにより、どのような瓦材にも対応可能とすることができる。なお、荷重受プレート１５はレール部３５にねじなどで固定してもよい。
【００３０】
以上、本発明の実施形態を例示したが、本発明は上記実施形態に限定されるものではない。発明の目的を逸脱しない限り、任意の形態とすることができることは云うまでもない。
【００３１】
【発明の効果】
以上のように、本発明によれば、軒側枠と棟側枠とを設けてなる太陽電池モジュール本体を屋根上に固定されるケーシング内に設置し、前記軒側枠に設けた固定部と前記ケーシングの軒側端部に設けた固定部とを連結することで前記太陽電池モジュール本体と前記ケーシングとを固定する構造をなすとともに、他の太陽電池モジュール又は瓦材の棟側端部に載置される当接部を前記軒側枠に、他の太陽電池モジュール又は瓦材の棟側端部が載置される被当接部を前記棟側枠にそれぞれ備えた太陽電池モジュールの複数を瓦重ねし、一方の太陽電池モジュールの前記被当接部に他方の太陽電池モジュールの前記当接部を瓦重ねした状態で、前記軒側枠に設けた固定部と前記ケーシングの軒側端部に設けた固定部の連結状態を解除し、前記一方の太陽電池モジュールの太陽電池モジュール本体を持ち上げたときに、前記他方の太陽電池モジュールの太陽電池モジュール本体を取り外すことができる。したがって、屋根上での太陽電池モジュールの修理や保守・点検作業を簡便に行うことができる。
【図面の簡単な説明】
【図１】本発明の太陽電池モジュールの概略斜視図である。
【図２】図１の太陽電池モジュールの概略側面図である。（側面枠を除いて示している。）
【図３】図１の太陽電池モジュールの分解側面図である。（側面枠を除いて示している。）
【図４】本発明の太陽電池アレイが屋根の一部に配設されている例を模式的に説明する斜視図である。
【図５】（ａ）、（ｂ）は本発明の太陽電池アレイの一部分解側面図である。（側面枠を除いて示している。）
【図６】（ａ）、（ｂ）、（ｃ）は本発明の太陽電池アレイの一部分解側面図である。（側面枠を除いて示している。）
【図７】（ａ）、（ｂ）、（ｃ）は本発明の太陽電池モジュール同士、または太陽電池モジュールと瓦材の横方向での接合状態を示す軒側面図である。
【図８】従来の太陽電池瓦が屋根の一部に配設されている例を模式的に説明する斜視図である。
【図９】従来の太陽電池瓦が屋根の一部に配設されている例を示す側面図である。
【図１０】従来の太陽電池瓦の瓦重ねの様子を模式的に説明する斜視図である。
【符号の説明】
９：桟木
１０：瓦材
１１：太陽電池
１２：棟側枠
１３：軒側枠
１４：側面枠
１５：荷重受プレート
１６：固定レール
１７：軒側固定金具
１８：棟側固定金具
１９：結合ねじ
２０：軒先側受け金具
２１：係止部
２２：係止部
２３：枠突出部
２４：釘
２５：上方突出部
２６：当接部
２６ａ：被当接部
２７：固定部
２８：固定部
３０：瓦一体型太陽電池モジュール
３１：瓦材
３２：太陽電池
３３：野地板
３４：出力配線
３５：上部突出部
３６：下部突出部
３７：レール部
Ｊ：太陽光発電屋根
Ｋ：屋根
Ｍ：太陽電池モジュール
Ｍ１、Ｍ２、Ｍ３、Ｍ４：太陽電池モジュール
ＭＵ：太陽電池モジュール本体
ＭＤ：ケーシング
【図１】
2004027733.tif 000003
【図２】
2004027733.tif 000004
【図３】
2004027733.tif 000005
【図４】
2004027733.tif 000006
【図５】
2004027733.tif 000007
【図６】
2004027733.tif 000008
【図７】
2004027733.tif 000009
【図８】
2004027733.tif 000010
【図９】
2004027733.tif 000011
【図１０】
2004027733.tif 000012